(57)【要約】  【課題】メンテナンスの容易性の向上とコストの低減。  【解決手段】配設空間３を、略溝形態を呈する溝部材６を支持脚５上に載置固定するとともに、カバー部材７により溝部材６を開閉可能に被せて構成した。  【選択図】図２
0003113642.tif 000002
【実用新案登録請求の範囲】
【請求項１】
高さ調節可能な支持脚上に床パネルが格子状に並べられ、当該床パネル間に設備材の配設空間が確保されたフリーアクセスフロアにおいて、前記配設空間は、略溝形態を呈する溝部材を支持脚上に載置固定するとともに、カバー部材により溝部材を開閉可能に被せて構成されていることを特徴とするフリーアクセスフロア。
【請求項２】
前記溝部材の固定構造が、ボルトを前記カバー部材の表面から溝部材の底部を貫通して前記支持脚にねじ込むことによって、カバー部材を配溝部材に対して着脱可能に固定するとともに、前記溝部材を支持脚に固定するものであることを特徴とする請求項１に記載のフリーアクセスフロア。
【請求項３】
前記配設空間は、格子状または一方向に設けていることを特徴とする請求項１又は請求項２に記載のフリーアクセスフロア。
【請求項４】
前記溝部材の上端縁にカバー部材を支持する支持片を外側または内側に突出形成していることを特徴とする請求項１ないし請求項３いずれか１項に記載のフリーアクセスフロア。
【請求項５】
設備材が空調設備用配管であって、前記配設空間の冷気および暖気を床パネルに伝達する金属材を、溝部材と床パネル間に架設することにより、配設空間の冷気および暖気と、当該配設空間から伝達される冷気および暖気とを、フロア全体から放射されるふく射熱による冷暖房として利用するようにしていることを特徴とする請求項１ないし請求項４いずれか１項に記載のフリーアクセスフロア。
【考案の詳細な説明】
【技術分野】
【０００１】
本考案は、フリーアクセスフロアに関し、詳しくは、床パネル間に配設空間を有する高さ調整式のフリーアクセスフロアに関する。
【背景技術】
【０００２】
従来の、床パネル間に配設空間を有する高さ調整式のフリーアクセスフロアに関する先行技術文献情報として、たとえば、下記の特許文献１及び特許文献２が挙げられる。
これら、高さ調整式のフリーアクセスフロアは、配設空間に沿って電線等を配線することにより配線の煩雑さが抑制され、効率的な配線状態を実現するのに有効なものであった。
【特許文献１】特開２００４−１９２３６号(〔図２〕、〔図３〕，〔図４〕参照)
【特許文献２】登録実用新案第３０６６０７０号(〔図１〕、〔図４〕、〔図５〕、参照)
【０００３】
しかしながら、前記特許文献１のフリーアクセスフロアでは、支持部間に架設された根太上に電線（設備材）等を載置する構成であるため、前記根太によってフロア構造が複雑になって、フロア敷設工事の作業性に劣る上、根太下の配線メンテナンスが困難である。
また、前記特許文献２のフリーアクセスフロアでは、床パネル間に設けられた溝から基礎床上に電線を配置するものであるため、高床の場合では、フロア表面と基礎床の距離が長くなるので、基礎床上に配置された電線のメンテナンスが行い難くなることと推察される。
【考案の開示】
【考案が解決しようとする課題】
【０００４】
そこで本考案は、メンテナンスの容易性の向上とコストの低減を課題とし、この課題を解決するフリーアクセスフロアの提供を目的とする。
【課題を解決するための手段】
【０００５】
本考案は、上記目的を達成するために下記の技術的手段を採用した。
その技術的手段は、高さ調節可能な支持脚上に床パネルが格子状に並べられ、当該床パネル間に設備材の配設空間が確保されたフリーアクセスフロアにおいて、前記配設空間は、略溝形態を呈する溝部材を支持脚上に載置固定するとともに、カバー部材により溝部材を開閉可能に被せて構成されていることを特徴とするフリーアクセスフロアにしたことである（第１考案）。
ここで、設備材とは、電気配線や通信機器用配線等の各種配線に用いられる長尺線材、あるいは空調設備用配管や配水・排水用配管等の各種配管に用いられる長尺管材を意味する。
設備材の配線・配管作業やフリーアクセスフロアの施工性の向上及びフロアのがたつきを抑制し居住性を向上させるいう観点から、前記溝部材の固定構造を、ボルトを前記カバー部材の表面から溝部材の底部を貫通して前記支持脚にねじ込むことによって、カバー部材を配溝部材に対して着脱可能に固定するとともに、前記溝部材を支持脚に固定するようにすることが好ましい（第２考案）。
前記配設空間は、フリーアクセスフロアの面積や形状等に応じて、格子状に設けても良いし、一方向に設けても良い（第３考案）。
また、前記配設空間の強度を向上させるという観点から、前記溝部材の上端縁に配線カバーを支持する支持片を外側または内側に突出形成することが好ましい（第４考案）。
また、設備材が空調設備用配管である場合、当該配管からの冷気および暖気を有効に利用するという観点から、前記配設空間の冷気および暖気を床パネルに伝達する金属材を、溝部材と床パネル間に架設することにより、配設空間の冷気および暖気と、当該配設空間から伝達される冷気および暖気とを、フロア全体から放射されるふく射熱による冷暖房として利用することが好ましい（第５考案）。
【考案の効果】
【０００６】
本考案のフリーアクセスフロアによれば、下記の優れた効果が期待できる。
第１考案によれば、略溝形態を呈する溝部材を支持脚上に載置固定するとともに、カバー部材により溝部材を開閉可能に被せて構成しているので、既存の床パネルを使用可能にした上で、メンテナンスの容易性の向上とコストの低減が実現する。
さらに、配設空間内と床スラブ上に設備材を配設することができるので、重要な設備材と一般の設備材とを分けることが容易である。
また、第２考案によれば、ボルトのねじ込み・取り外しによって、カバー部材の取付け・取り外しおよび溝部材の取付け・取り外しができるので、設備材の配線・配管作業やフリーアクセスフロアの構成作業の作業容易性向上が実現する。
さらに、ボルトによってカバー部材と溝部材と取り付けているので、フロアのがたつきが抑制されて居住性を向上させることができる。
また、第３考案によれば、格子状に設けることもできるし一方向に設けることもできるので、レイアウトの自由度が拡がる。
また、第４考案によれば、前記配設空間の強度が向上し、上方から作用する重量に対する剛性および配設空間内に配設される設備材の重量に対する剛性を向上させることができる。
また、第５考案によれば、フロア全体から放出されるふく射熱を冷暖房として利用することができるので、効率的な空調システムを構築することができる。
【考案を実施するための最良の形態】
【０００７】
以下、本考案のフリーアクセスフロアを実施するための最良の形態を図１〜図６に基づいて説明すると、図１〜図３は、本考案に係るフリーアクセスフロアの第１形態を示し、図４は、本考案に係るフリーアクセスフロアの第２形態を示し、図５は、本考案に係るフリーアクセスフロアの第３形態を示し、図６は、後述する金属材８の配設構造を示す。
【０００８】
第１形態のフリーアクセスフロア１は、平面正方形の床パネル２を格子状に並べ、当該すべての床パネル２の間に配設空間３を設けてなり、これら床パネル２と配設空間３とは、床スラブ４に立設された高さ調整可能な支持脚５に支持されている。
前記床パネル２は、正方形に成型された周知のものであり、角部２２付近の表面からボルト２３を貫通するとともに、前記支持脚５における支持キャップ５１にねじ込むことによって固定される。
前記高さ調整可能な支持脚５の基本的な構成については、床スラブ４に立設されるベースプレート５２における螺旋部５３に、前記支持キャップ５１が上下動可能にねじ込まれてなる周知のものである。
また、前記支持脚５は、床パネル２一枚につき四個用意され、床パネル２の四ヶ所の角部２２を夫々支持するようにしている。
また、図中符号５４は、前記床パネル２および配設空間３のずれを防止するための嵌合突起であり、嵌合突起５４の周囲に形成された嵌合凹部５５に床パネル２の角部２２が嵌合される。
【０００９】
配設空間３は、設備材Ａが配設される溝部材６と、当該溝部材６の上部開口部６１を塞ぐカバー部材７とからなり、溝部材６を前記支持脚５に載置し、カバー部材７の角部７１付近の表面からボルト２４を貫通するとともに、前記支持脚５における支持キャップ５１にねじ込むことによって固定される。
溝部材６の上部開口部６１の上端縁６２には、前記カバー部材７を支持するための支持片６３が、カバー部材７の裏面と正対するように外側方向に折り曲げ形成されている。
また、前記溝部材６の大きさは、床パネル２の一辺と同等の長さであり、その角部６４が、前記床パネル２と同様に嵌合突起５４の周囲に形成された嵌合凹部５５に嵌合される幅である。
そして、長手方向で隣接する溝部材６同士の間には空間Ｓが確保され、当該空間Ｓにおいて溝部材６に配設される設備材Ａの左右への方向変換を行う。
【００１０】
カバー部材７の大きさは、一方(図１において上下方向)が長さ方向および幅方向の両端部が前記支持脚５の中心部に位置する大きさであり、他方(図１において左右方向)が長さ方向の両端部が前記空間Ｓの中心部に位置し、幅方向の両端部が前記支持脚５の中心部に位置する大きさであって、前記他方の長さ方向で隣接するカバー部材７同士が空間Ｓの中心部において突き合わされるようにされ、前記一方のカバー部材７の端部が、前記他方のカバー部材７の幅方向の端部に突き合わされるようにされている。
すなわち、前記カバー部材７を溝部材６に被せることにより床パネル２同士の間の隙間が塞がれる。
図中、符号７２は、カバー部材７の剛性を確保するための補強片であり、カバー部材７の両端付近における前記嵌合突起５４と重なる部分を除いて、長手方向端部を下方に折り曲げ形成して構成されている。
【００１１】
図中、符号８は、設備材Ａが空調設備用配管である場合、前記配設空間３の冷気および暖気を床パネル２に伝達する金属材である。
金属材８は、薄状のものであり、溝部材６の底部６１と床パネル２の底部２５間に架設され、当該金属材８が配設空間３の冷気および暖気を床パネル２に伝達することによって、配設空間３から伝達される冷気および暖気とを、フロア全体から放射されるふく射熱による冷暖房として利用することができる。
なお、前記金属材８は、前記溝部材６の底部６１に固着一体化しても良いし(図６参照)、前記床パネル２の底部２５に固着一体化しても良い。
前記金属材８が溝部材６の底部６１に固着一体化したものである場合、フリーアクセスフロアを構築する際に既存の床パネルを使用できるし、溝部材６と金属材８とが一つのユニットとなるので、敷設作業あるいは運搬、収納等が良好である。
【００１２】
なお、前記第１形態の配設空間３は、前記他方のカバー部材７同士が空間Ｓの中心部で突き合わせているものであるが、本考案の配設空間３の配置の形態の第２形態として、前記全てのカバー部材７の長手方向の端部を支持脚５の中心部に位置させ、更に、開放された空間Ｓ部分に、当該空間Ｓを塞ぐことができる平面形状のカバー部材７'を嵌合した形態が例示できる(図４(ａ)参照)。
また、配設空間３の第３形態として、ある部位の床パネル２を囲むカバー部材７が夫々の長手方向の一端部が、隣り合うカバー部材７の幅方向の一端部に接触するようにした形態が例示できる(図４(ｂ)参照)。
また、前記形態では、配設空間３を床パネル２同士のすべての間に設けた形態としているが、本考案においては、第２形態として配設空間３を一方向のみに設けたものも含む（図５参照）。
また、前記金属材は、設備材が電気配線や通信機器用配線等の各種配線である場合、不要であるので、必ずしも配設する必要はない。
また、本形態の前記床パネルおよび配設空間は、主に金属材から構成されるものであるが、本考案においては金属材に限定するものではない。
また、本考案は、例示した実施の形態に限定するものではなく、実用新案登録請求の範囲に記載された内容から逸脱することなく、他の構成による実施も可能である。
【図面の簡単な説明】
【００１３】
【図１】本考案に係るフリーアクセスフロアの一例を示す平面図。
【図２】図１の（２）−（２）線断面図。
【図３】配設空間を取り外した状態の断面図。
【図４】本考案に係るフリーアクセスフロアの他の例を示す平面図。
【図５】本考案に係るフリーアクセスフロアの他の例を示す平面図。
【図６】金属材の配設構造の一例を示す断面図。
【符号の説明】
【００１４】
Ａ：設備材
１：フリーアクセスフロア
２：床パネル
３：配設空間
４：床スラブ
５：支持脚
５１：支持キャップ
６：溝部材
６１：上部開口部
６３：支持片
７：カバー部材
７１：カバー部材
２４：ボルト
８：金属材
【図１】
0003113642.tif 000003
【図２】
0003113642.tif 000004
【図３】
0003113642.tif 000005
【図４】
0003113642.tif 000006
【図５】
0003113642.tif 000007
【図６】
0003113642.tif 000008